(57)【要約】【課題】地中に突き刺すだけで芝の根の広がりを阻止することができると共に、形成したい花壇の形などに応じて色々な形に構成可能な芝用根止め具を提供すること。【解決手段】芝植生地の地中に板縁を突き刺して芝の根の広がりを阻止する板状の芝用根止め具であって、一側端部に接続部を有し、他側端部に接続部を接続して他の根止め体を面一方向に連結する面一方向接続部を有し、中間部に接続部を接続して他の根止め体を交差方向に分岐連結する分岐方向接続部を有する第一の根止め体と、両側端部に接続部を有する第二の根止め体と、一側端部に接続部を有し、他側端部に面一方向接続部を有する第三の根止め体と、一側端部に接続部を有し、他側端部に接続部を接続して他の根止め体を交差方向に連結する交差方向接続部を有する第四の根止め体とを備えた芝用根止め具。【選択図】図５
0003128204.tif 000002
【実用新案登録請求の範囲】
【請求項１】
芝植生地の地中に板縁を突き刺して芝の根の広がりを阻止する板状の芝用根止め具であって、一側端部に接続部を有し、他側端部に前記接続部を接続して他の根止め体を面一方向に線状に連結する面一方向接続部を有し、中間部に前記接続部を接続して他の根止め体を交差方向に分岐連結する分岐方向接続部を有して成る第一の根止め体と、両側端部に前記接続部を有して成る第二の根止め体と、一側端部に接続部を有し、他側端部に前記接続部を接続して他の根止め体を面一方向に線状に連結する面一方向接続部を有して成る第三の根止め体と、一側端部に接続部を有し、他側端部に前記接続部を接続して他の根止め体を交差方向に連結する交差方向接続部を有して成る第四の根止め体とを備えたことを特徴とする芝用根止め具。
【請求項２】
前記接続部と、前記面一方向接続部，前記分岐方向接続部，前記交差方向接続部との接続構造を、凹凸接続構造としたことを特徴とする請求項１記載の芝用根止め具。
【請求項３】
前記凹凸接続構造は、断面Ｃ字状の凹部に、断面丸形の凸部が抜け止め状態に嵌合する接続構造としたことを特徴とする請求項２記載の芝用根止め具。
【請求項４】
前記第一の根止め体と、前記第二の根止め体と、前記第三の根止め体と、前記第四の根止め体とは、下端の板縁に鋭角状の突き刺し部を形成したことを特徴とする請求項１〜３のいずれか１項に記載の芝用根止め具。
【考案の詳細な説明】
【技術分野】
【０００１】
本考案は、芝植生地の地中に突き刺すことで芝の根の広がりを阻止する芝用根止め具に関するものである。
【背景技術】
【０００２】
例えば、既に芝生が敷かれた庭に新たに花壇を作りたい場合、地中には芝の根が広がっているため、そのまま地面に花を植えても花に十分な栄養が届かず、上手く育たない。
【０００３】
また、たとえ、花を植えたいところの芝を根ごと除去してから花を植えたとしても、周囲の芝の根がやがて広がって花の成長を阻害してしまう。
【考案の開示】
【考案が解決しようとする課題】
【０００４】
本考案は、地中に突き刺すだけで芝の根の広がりを阻止することができて芝植生地での花壇の形成などに役立ち、また、形成したい花壇などの形に応じて色々な形の囲いを構成可能となる実用性に秀れた芝用根止め具を提案するものである。
【課題を解決するための手段】
【０００５】
添付図面を参照して本考案の要旨を説明する。
【０００６】
芝１植生地の地中に板縁を突き刺して芝１の根の広がりを阻止する板状の芝用根止め具であって、一側端部に接続部２を有し、他側端部に前記接続部２を接続して他の根止め体Ａ，Ｂ，Ｃ，Ｄを面一方向に線状に連結する面一方向接続部３を有し、中間部に前記接続部２を接続して他の根止め体Ａ，Ｂ，Ｃ，Ｄを交差方向に分岐連結する分岐方向接続部４を有して成る第一の根止め体Ａと、両側端部に前記接続部２を有して成る第二の根止め体Ｂと、一側端部に接続部２を有し、他側端部に前記接続部２を接続して他の根止め体Ａ，Ｂ，Ｃ，Ｄを面一方向に線状に連結する面一方向接続部３を有して成る第三の根止め体Ｃと、一側端部に接続部２を有し、他側端部に前記接続部２を接続して他の根止め体Ａ，Ｂ，Ｃ，Ｄを交差方向に連結する交差方向接続部５を有して成る第四の根止め体Ｄとを備えたことを特徴とする芝用根止め具に係るものである。
【０００７】
また、前記接続部２と、前記面一方向接続部３，前記分岐方向接続部４，前記交差方向接続部５との接続構造を、凹凸接続構造としたことを特徴とする請求項１記載の芝用根止め具に係るものである。
【０００８】
また、前記凹凸接続構造は、断面Ｃ字状の凹部30，40，50に、断面丸形の凸部20が抜け止め状態に嵌合する接続構造としたことを特徴とする請求項２記載の芝用根止め具に係るものである。
【０００９】
また、前記第一の根止め体Ａと、前記第二の根止め体Ｂと、前記第三の根止め体Ｃと、前記第四の根止め体Ｄとは、下端の板縁に鋭角状の突き刺し部６を形成したことを特徴とする請求項１〜３のいずれか１項に記載の芝用根止め具に係るものである。
【考案の効果】
【００１０】
本考案は上述のように構成したから、例えば、芝生を敷いた庭に花壇を作りたい場合、芝生と花壇との境界部の地中に本考案の各根止め体を突き刺すことにより、芝生から花壇への芝の根の進入を阻止することができ、しかも、第一の根止め体と第二の根止め体と第三の根止め体と第四の根止め体とを使用者の創意工夫によって組み合わせて連結することにより、角形や円形などの様々な形の囲いを形成することができ、この各根止め体で形成した囲いによって囲われた色々な形の花壇を作ることができる極めて実用性に秀れた芝用根止め具となる。
【００１１】
また、請求項２記載の考案においては、本考案の各根止め体同士を簡単に接続連結することができる一層実用性に秀れた構成の芝用根止め具となる。
【００１２】
また、請求項３記載の考案においては、本考案の各根止め体同士を簡単に且つ確実な抜け止め状態に接続連結することができるので、各根止め体を接続連結して構成した囲いにより確実に芝の根を阻止することができる一層実用性に秀れた芝用根止め具となる。
【００１３】
また、請求項４記載の考案においては、本考案の各根止め体の下端の板縁を簡単に地中に突き刺すことができる一層実用性に秀れた芝用根止め具となる。
【考案を実施するための最良の形態】
【００１４】
好適と考える本考案の実施形態（考案をどのように実施するか）を、図面に基づいて本考案の作用を示して簡単に説明する。
【００１５】
例えば、芝１（芝生）を敷いた庭に花壇10を作りたい場合、芝１と花壇10との境界部の地中に本考案の各根止め体Ａ〜Ｄの板縁を突き刺してこの各根止め体Ａ〜Ｄに囲まれた囲いＫを形成することにより、芝生から囲いＫ内の花壇10への芝１の根の進入を阻止することができる。
【００１６】
また、本考案の第一の根止め体Ａは、他側端部の面一方向接続部３に、他の根止め体Ａ〜Ｄの接続部２を接続して、この第一の根止め体Ａと他の根止め体Ａ〜Ｄを線状に連結することができる。
【００１７】
また、この第一の根止め体Ａの中間部の分岐方向接続部４に、他の根止め体Ａ〜Ｄの接続部２を接続して、この第一の根止め体Ａと他の根止め体Ａ〜Ｄを交差方向に分岐した形状に連結することができる。
【００１８】
また、本考案の第二の根止め体Ｂは、両端部の接続部２を他の根止め体Ａ〜Ｄの面一方向接続部３や分岐方向接続部４や交差方向接続部５に連結して、この第二の根止め体Ｂと他の根止め体Ａ〜Ｄを線状や分岐状や交差状に連結することができる。
【００１９】
また、本考案の第三の根止め体Ｃは、他側端部の面一方向接続部３に、他の根止め体Ａ〜Ｄの接続部２を接続して、この第三の根止め体Ｃと他の根止め体Ａ〜Ｄを線状に連結することができる。
【００２０】
また、本考案の第四の根止め体Ｄは、他側端部の交差方向接続部５に、他の根止め体Ａ〜Ｄの接続部２を接続して、この第四の根止め体Ｄと他の根止め体Ａ〜Ｄとを交差状に連結することができる。
【００２１】
この第一の根止め体Ａと第二の根止め体Ｂと第三の根止め体Ｃと第四の根止め体Ｄとを使用者の創意工夫によって組み合わせて連結することにより、例えば、図６，図８，図９に示すような、平面視角形や、円形や、内部が分割された形などの様々な形の囲いＫを形成することができ、この各根止め体Ａ〜Ｄを用いて形成した囲いＫによって囲われた色々な形の花壇10を作ることができる。
【００２２】
また、例えば、前記接続部２と、前記面一方向接続部３，前記分岐方向接続部４，前記交差方向接続部５との接続構造を、凹凸接続構造とすれば、本考案の各根止め体Ａ〜Ｄ同士を簡単に接続連結することができ、一層実用的となる。
【００２３】
また、例えば、前記凹凸接続構造は、断面Ｃ字状の凹部30，40，50に、断面丸形の凸部20が抜け止め状態に嵌合する接続構造とすれば、本考案の各根止め体Ａ〜Ｄ同士を簡単に且つ確実な抜け止め状態に接続連結することができるので、各根止め体Ａ〜Ｄを接続連結して構成した囲いＫにより確実に芝１の根を阻止することができる。
【００２４】
また、例えば、前記第一の根止め体Ａと、前記第二の根止め体Ｂと、前記第三の根止め体Ｃと、前記第四の根止め体Ｄとは、下端の板縁に鋭角状の突き刺し部６を形成した構成とすれば、本考案の各根止め体Ａ〜Ｄを簡単に地中に突き刺すことができ、一層実用的となる。
【実施例】
【００２５】
本考案の具体的な実施例について図面に基づいて説明する。
【００２６】
本実施例は、一側端部に接続部２を有し、他側端部に前記接続部２を接続して他の根止め体Ａ，Ｂ，Ｃ，Ｄを面一方向に線状に連結する面一方向接続部３を有し、中間部に前記接続部２を接続して他の根止め体Ａ，Ｂ，Ｃ，Ｄを交差方向に分岐連結する分岐方向接続部４を有して成る第一の根止め体Ａと、両側端部に前記接続部２を有して成る第二の根止め体Ｂと、一側端部に接続部２を有し、他側端部に前記接続部２を接続して他の根止め体Ａ，Ｂ，Ｃ，Ｄを面一方向に線状に連結する面一方向接続部３を有して成る第三の根止め体Ｃと、一側端部に接続部２を有し、他側端部に前記接続部２を接続して他の根止め体Ａ，Ｂ，Ｃ，Ｄを交差方向に連結する交差方向接続部５を有して成る第四の根止め体Ｄとを備えている。
【００２７】
以下、更に説明すると、本実施例の第一〜第四の各根止め体Ａ〜Ｄは、樹脂で一体成形した構成としている。
【００２８】
本実施例の第一の根止め体Ａは、図１に示すように、横長（例えば、図面では横幅１５０ｍｍ）の略長方形板状とし、横方向（長さ方向）の一側端部に前記接続部２を形成し、他側端部に前記面一方向接続部３を形成し、中程に前記分岐方向接続部４を形成している。また、この第一の根止め体Ａは、樹脂製として一体成形している。
【００２９】
また、本実施例の接続部２と、面一方向接続部３及び分岐方向接続部４との接続構造は、凹凸接続構造としている。
【００３０】
具体的には、面一方向接続部３と分岐方向接続部４と交差方向接続部５とは、平断面Ｃ字状の凹部30，40に形成し、接続部２は、前記Ｃ字状の凹部30，40に抜け止め状態に嵌合する平断面丸形の凸部20に形成している。
【００３１】
また、凹部30，40は、いずれも第一の根止め体Ａの高さ方向の全域に形成し、凸部20も同様にして第一の根止め体Ａの高さ方向の全域に形成している。
【００３２】
また、面一方向接続部３を構成する凹部30は、その側方開口部30Ｂが第一の根止め体Ａの板面に対してその延長方向に開口する構成とし、分岐方向接続部４を構成する凹部40は、その側方開口部40Ｂが第一の根止め体Ａの板面に対して直交方向に開口する形状に構成している。
【００３３】
一方、凸部20の対向位置であって上端部から下部寄りの位置にかけてに、この凸部20の長さ方向に沿って凸条20Ａを形成し、この対向位置に存する凸条20Ａ部位の径を、前記凹部30，40の内径よりもやや径大に形成している。
【００３４】
この凹部30，40への凸部20の凹凸嵌合は、凹部30，40の上方開口部30Ａ，40Ａから凸部20を挿通することで行う。また、前記凸条20Ａの存するところで挿通操作に抵抗を生じるが、この抵抗に抗して更に挿通することで確固に接続連結される構成としている。
【００３５】
また、凹部30，40は、その側方開口部30Ｂ，40Ｂの開口幅寸法を各根止め体Ａ〜Ｄの板厚寸法よりもやや広幅に設定し、これによりこの凹部30，40に凹凸嵌合させた凸部20を、側方開口部30Ｂ，40Ｂの開口幅に許容される範囲内で凹部30，40内で回動させることができ、第一の根止め体Ａに対して接続連結した他の根止め体Ａ〜Ｄの横並設角度並びに縦並設角度をわずかに（図面では約30度）調整変更可能な構成としている。
【００３６】
また、この第一の根止め体Ａは、下端部に鋭角形状の突き刺し部６を形成している。
【００３７】
具体的には、第一の根止め体Ａの下端縁の全縁部をジクザグ形状に形成して、鋭角形状の下端縁が並設する構成とし、この並設する鋭角状の下端縁を前記突き刺し部６としている。
【００３８】
従って、下端部（突き刺し部６）が鋭角状であり、板状であることもあって、この第一の根止め体Ａは簡単に地面に突き刺すことができる構成としている。また、例えば、ハンマーで第一の根止め体Ａの上縁部を打撃するようにすれば、非常に容易に突き刺すことが可能である。
【００３９】
尚、この第一の根止め具Ａの接続部２及び突き刺し部６の構成は、後述する第二の根止め体Ｂ，第三の根止め体Ｃ，第四の根止め体Ｄにおいても同様の構成であり、また、面一方向接続部３の構成は、第三の根止め体Ｃにおいても同様の構成である。
【００４０】
本実施例の第二の根止め体Ｂは、図２に示すように、前記第一の根止め体Ａの横幅寸法と同等の横幅寸法（例えば、図面では横幅１５０ｍｍ）を有し、両側端部に前記接続部２を有している。
【００４１】
具体的には、第二の根止め体Ｂは、第一の根止め体Ａと同形状とし、中間部には、前記接続部２を構成する凸部20と同形状の補助凸部21に成形して、第二の根止め体Ｂを半分に切った際にこの補助凸部21を凸部20として使用できるように構成している。即ち、この第二の根止め体Ｂは、横幅を略１／２のサイズに加工して使用することもできる構成としている。
【００４２】
本実施例の第三の根止め体Ｃは、図３に示すように、前記第一の根止め体Ａの横幅寸法の略１／２の横幅寸法（例えば、図面では横幅７５ｍｍ）を有し、一側端部に前記接続部２を有し、他側端部に前記面一方向接続部３を有している。
【００４３】
具体的には、第三の根止め体Ｃは、前記第一の根止め体Ａの横幅を略１／２に縮めたというべき形状としている。
【００４４】
本実施例の第四の根止め体Ｄは、図４に示すように、前記第一の根止め体Ａの横幅寸法の略１／２の横幅寸法（例えば、図面では横幅７５ｍｍ）を有し、一側端部に前記接続部２を有し、他側端部に前記交差方向接続部５を有している。
【００４５】
具体的には、交差方向接続部５は、前記面一方向接続部３及び前記分岐方向接続部４と同様の構成を採用している。即ち、凹部30，40と同様に、凹部50，上方開口部50Ａ，側方開口部50Ｂを有する構成であり、奏する作用効果も前記と同様である。また、この交差方向接続部５を構成する凹部50は、その側方開口部50Ｂが第四の根止め体Ｄの板面に対して直交方向に開口する形状に構成している。
【００４６】
即ち、本実施例の第四の根止め体Ｄは、前記第三の根止め体Ｃと略同形状であって、他側端部の凹部50の側方開口部50Ｂの開口方向を、第三の根止め体Ｃの凹部30の側方開口部30Ｂの開口方向と９０度異ならせたというべき形状としている。
【００４７】
次に、本実施例の具体的な使用方法について図５〜図９を用いて説明する。
【００４８】
図５〜図７は、平面視正方形枠形であって内部を二分割した形状の囲いＫを形成した場合である。
【００４９】
更に詳しくは、例えば、前記第一の根止め体Ａの一側端部の接続部２（凸部20）に、前記第三の根止め体Ｃの他側端部の面一方向接続部３（凹部30）を嵌合接続すると共に、第一の根止め体Ａの他側端部の面一方向接続部３（凹部30）に、前記第四の根止め体Ｄの一側端部の接続部２（凸部20）を嵌合接続して、第一の根止め体Ａの両側に第三の根止め体Ｃと第四の根止め体Ｄとが略面一状態に（第四の根止め体Ｄと第一の根止め体Ａと第三の根止め体Ｃとが略一直線状に）配設するように連結した囲い辺Ｋ１を四体形成する。
【００５０】
そして、この四体の囲い辺Ｋ１の一側端部に存する接続部２（第三の根止め体Ｃの接続部２）を、夫々他の囲い辺Ｋ１の他側端部に存する交差方向接続部５（第四の根止め体Ｄの交差方向接続部５（凹部50））に嵌合連結することで、平面視正方形状の囲いＫを形成する。
【００５１】
また、第一の根止め体Ａの他側端部の面一方向接続部３（凹部30）に、前記第二の根止め体Ｂの一側の接続部２（凸部20）を嵌合接続して、第一の根止め体Ａと第二の根止め体Ｂとが略面一状態に（第一の根止め体Ａと第二の根止め体Ｂとが略一直線状に）配設するように連結した分割辺Ｋ２を一体形成し、この分割辺Ｋ２の両側に存している接続部２（第一の根止め体Ａの一側端部の接続部２と第二の根止め体Ｂの他側端部の接続部２）を、例えば図６に示すように前記正方形状の囲いＫの上下の囲い辺Ｋ１の夫々の中央に存している第一の根止め体Ａの分岐方向接続部４（凹部40）に嵌合接続することで、囲いＫの内部をこの分割辺Ｋ２によって上下に二分割した構成としている。
【００５２】
図８は、平面視長方形枠形であって内部を二分割した形状の囲いＫを形成した場合である。
【００５３】
更に詳しくは、例えば、前記第一の根止め体Ａを三体略面一方向に接続連結し、この三体連結した第一の根止め体Ａの一側端部に存する接続部２（凸部20）に、前記第三の根止め体Ｃの他側端部の面一方向接続部３（凹部30）を嵌合接続すると共に、三体連結した第一の根止め体Ａの他側端部に存する面一方向接続部３（凹部30）に、前記第四の根止め体Ｄの一側端部の接続部２（凸部20）を嵌合接続して、三体連結した第一の根止め体Ａの両側に第三の根止め体Ｃと第四の根止め体Ｄとが略面一状態に（第三の根止め体Ｃと三体の第一の根止め体Ａと第四の根止め体Ｄとが略一直線状に）配設するように連結した短方向囲い辺Ｋ３を二体形成する。
【００５４】
また、例えば、前記第一の根止め体Ａを五体嵌合接続し、この五体連結した第一の根止め体Ａの一側端部に存する接続部２（凸部20）に、前記第三の根止め体Ｃの他側端部の面一方向接続部３（凹部30）を嵌合接続すると共に、五体連結した第一の根止め体Ａの他側端部に存する面一方向接続部３（凹部30）に、前記第四の根止め体Ｄの一側端部の接続部２（凸部20）を嵌合接続して、五体連結した第一の根止め体Ａの両側に第三の根止め体Ｃと第四の根止め体Ｄとが略面一状態に（第三の根止め体Ｃと五体の第一の根止め体Ａと第四の根止め体Ｄとが略一直線状に）配設するように連結した長方向囲い辺Ｋ４を二体形成する。
【００５５】
そして、例えば、前記長方向囲い辺Ｋ４を縦設状態にして間隔を置いた左右対設状態に配置すると共に、この左右の長方向囲い辺Ｋ４を上下逆向きにして配置（図面では、左側の長方向囲い辺Ｋ４は第四の根止め体Ｄが上に、右側の長方向囲い辺Ｋ４は第三の根止め部分Ｃが上になるようにして配置）し、この左右に対設する長方向囲い辺Ｋ４の上端部間と下端部間とに夫々前記短方向囲い辺Ｋ３を配設すると共に、この上下の短方向囲い辺Ｋ３を左右逆向きにして配置（図面では、上側の短方向囲い辺Ｋ３は第三の根止め体Ｃが左に、下側の短方向囲い辺Ｋ３は第四の根止め体Ｄが左になるようにして配置）し、この各短方向囲い辺Ｋ３の一側端部（図面上側の短方向囲い辺Ｋ３の左側端部、図面下側の短方向囲い辺Ｋ３の右側端部）に存する接続部２を、各長方向囲い辺Ｋ４の他側端部（図面右側の長方向囲い辺Ｋ４の下側端部、図面左側の長方向囲い辺Ｋ４の上側端部）の交差方向接続部５に嵌合接続すると共に、各短方向囲い辺Ｋ３の他側端部の交差方向接続部５に、各長方向囲い辺Ｋ４の一側端部の接続部２を嵌合接続することで、平面視長正方形状の囲いＫを形成する。
【００５６】
また、第一の根止め体Ａを三体略面一状態に接続連結し、この三体連結した第一の根止め体Ａの他側端部の面一方向接続部３（凹部30）に、前記第二の根止め体Ｂのいずれか一方の接続部２（凸部20）を嵌合接続して、三体の第一の根止め体Ａと第二の根止め体Ｂとが略面一状態に（三体の第一の根止め体Ａと第二の根止め体Ｂとが略一直線状に）配設するように連結した分割辺Ｋ５を一体形成し、この分割辺Ｋ５の両側端部に存している接続部２を、前記長方形状の囲いＫの左右の対向する長方向囲い辺Ｋ４の夫々の中間に存している第一の根止め体Ａの分岐方向接続部４に嵌合接続することで、囲いＫの内部を分割辺Ｋ５によって上下に二分割した構成としている。
【００５７】
この図８の囲いＫは、図中に想像線で示したように、分割辺Ｋ５を追加することによって最大６分割することができる。
【００５８】
また、図９は、第一の根止め体Ａを複数連結すると共に、並設する第一の根止め体Ａ同士を前記した凹部30の角度調整機能により角度調整して湾曲形状をなす湾曲囲い辺Ｋ６を形成した場合を示している。このような湾曲囲い辺Ｋ６により、平面視円形枠形（輪状）の囲いＫを形成することができる。
【００５９】
尚、本考案は、本実施例に限られるものではなく、各構成要件の具体的構成は適宜設計し得るものである。
【図面の簡単な説明】
【００６０】
【図１】本実施例の第一の根止め体を示す斜視図である。
【図２】本実施例の第二の根止め体を示す斜視図である。
【図３】本実施例の第三の根止め体を示す斜視図である。
【図４】本実施例の第四の根止め体を示す斜視図である。
【図５】本実施例の使用状態を示す斜視図である。
【図６】図５の囲いの説明平面図である。
【図７】図５の囲いの部分拡大説明平面図である。
【図８】本実施例の他の使用状態（他の形状の囲い）を示す説明平面図である。
【図９】本実施例の湾曲囲い辺を形成した場合を示す説明平面図である。
【符号の説明】
【００６１】
１  芝
２  接続部
３  面一方向接続部
４  分岐方向接続部
５  交差方向接続部
６  突き刺し部
20  凸部
30  凹部
40  凹部
50  凹部
Ａ  第一の根止め体
Ｂ  第二の根止め体
Ｃ  第三の根止め体
Ｄ  第四の根止め体
【図１】
0003128204.tif 000003
【図２】
0003128204.tif 000004
【図３】
0003128204.tif 000005
【図４】
0003128204.tif 000006
【図５】
0003128204.tif 000007
【図６】
0003128204.tif 000008
【図７】
0003128204.tif 000009
【図８】
0003128204.tif 000010
【図９】
0003128204.tif 000011